(57)【要約】【課題】通常のＷｅｂブラウザの操作でブックマークに登録されているＵＲＬにアクセスした状態を管理できるようにする。【解決手段】ブックマーク管理機能は、ブックマークのＵＲＬ及び当該ＵＲＬのアクセス情報（参照回数、最終参照日時など）を記憶する。ＷｅｂブラウザがＷＷＷのＵＲＬをアクセスした際に、ブックマークのＵＲＬを検索し、前記アクセスしたＵＲＬと同一のＵＲＬが記憶されていれば、当該ＵＲＬのアクセス情報を更新する。一方、ブックマークを表示する際には、そのＵＲＬのアクセス情報（参照回数、最終参照日時など）を一緒に表示する。また、このブックマークを表示する場合、ＵＲＬのアクセス情報の値によってブックマークを選別して、それぞれ異なる表示態様で表示する。例えば、色や形を変えて表示する。【選択図】図２
2005339356.tif 000002
【特許請求の範囲】
【請求項１】
コンピュータ端末等におけるブックマーク管理方法であって、
ブックマークのＵＲＬ及び当該ＵＲＬのアクセス情報を記憶し、ＷＷＷのＵＲＬをアクセスした際に、ブックマークのＵＲＬを検索し、前記アクセスしたＵＲＬと同一のＵＲＬが記憶されていれば、当該ＵＲＬのアクセス情報を更新することを特徴とするブックマーク管理方法。
【請求項２】
請求項１記載のブックマーク管理方法において、ブックマークを表示する際に、そのＵＲＬのアクセス情報を表示することを特徴とするブックマーク管理方法。
【請求項３】
請求項２記載のブックマーク管理方法において、ブックマークを表示する際に、ＵＲＬのアクセス情報の値によってブックマークを選別し、それぞれ異なる表示態様で表示することを特徴とするブックマーク管理方法。
【請求項４】
請求項２記載のブックマーク管理方法において、当該ＵＲＬのアクセス情報の値によってブックマークを選別し、特定のブックマークを表示或いは非表示とすることを特徴とするブックマーク管理方法。
【請求項５】
請求項１乃至４のいずれか１項に記載のブックマーク管理方法において、当該ＵＲＬのアクセス情報は、当該ＵＲＬの参照回数、最終参照日時であることを特徴とするブックマーク管理方法。
【請求項６】
ブックマークのＵＲＬ及び当該ＵＲＬのアクセス情報を記憶する手段と、
ＷＷＷのＵＲＬをアクセスし、該ＵＲＬで示される文書を表示する手段と、
前記ＷＷＷをアクセスしたＵＲＬを取得する手段と、
ブックマークのＵＲＬを検索し、前記取得したＵＲＬと同一のＵＲＬが記憶されていれば、当該ＵＲＬのアクセス情報を更新する手段と、
ブックマークと共に、そのＵＲＬのアクセス情報を表示する手段と、
を有することを特徴とするブックマーク管理装置。
【請求項７】
請求項６記載のブックマーク管理装置において、
前記アクセス情報は、当該ＵＲＬの参照回数、最終参照日時から構成され、
前記ＷＷＷをアクセスしたＵＲＬを取得する手段は、該ＵＲＬに加えて、そのアクセスした日時を取得し、
前記ブックマークのＵＲＬを検索して、アクセス情報を更新する手段は、前記取得したＵＲＬと同一のＵＲＬが記憶されている場合、当該ＵＲＬの参照回数を＋１し、最終日時を前記取得したアクセス日時で置換する、
ことを特徴とするブックマーク管理装置。
【請求項８】
請求項６もしくは７記載のブックマーク管理装置の処理機能をコンピュータで実行するためのプログラム。
【発明の詳細な説明】
【技術分野】
【０００１】
本発明は、パソコン等のコンピュータ端末において、インターネットのＷｏｒｌｄ  Ｗｉｄｅ  Ｗｅｂ（ＷＷＷ）のなどを閲覧する際に特定のＵＲＬ（Ｕｎｉｆｏｒｍ  Ｒｅｓｏｕｒｓｅ  Ｌｏｃａｔｏｒ）を簡易に指定できるようにするために、当該ＵＲＬの記録およびその内容などに関するメモなどとして用いられるブックマークの管理に関する。
【背景技術】
【０００２】
コンピュータ端末においては、種々の有用なＵＲＬを記録しておき、ＷＷＷを閲覧する際に、特定のＵＲＬを簡単に指定できるようにするための機能として、種々のブックマーク管理のソフトウェアが利用されている（例えば、非特許文献１、２参照）。なお、ブックマーク管理機能は、Ｗｅｂブラウザの一機能としても実現されている場合もある。
【０００３】
通常、ブックマーク管理機能側から、ＷｅｂブラウザにＵＲＬを渡すことによって、該ブックマーク管理機能でブックマークされているＵＲＬで示される文書をＷｅｂブラウザで閲覧する場合には、ブックマーク管理機能で、そのＵＲＬにアクセスしたという情報を管理し、利用することができる。
【０００４】
しかし、ブックマーク管理機能とは無関係に、ＷｅｂブラウザでＵＲＬにアクセスする場合には、ＷｅｂブラウザがそのＵＲＬをアクセスしたという情報は、ブックマーク管理機能では管理していない。
【０００５】
ところが、通常のＷｅｂブラウザの操作では、現在表示されている文書内のリンクをたどっていく操作が頻繁に行われる。この際のＵＲＬへのアクセスはブックマーク管理機能とは無関係に行われる。このため、ブックマーク管理機能で管理しているブックマークのＵＲＬに、Ｗｅｂブラウザでアクセスしたという情報、たとえば、アクセスした回数やアクセスした日時などを、ブックマーク管理機能で管理することは難しかった。
【０００６】
【非特許文献１】情報科学技術フォーラム（ＦＩＴ）2003，2003．9．10−12，情報処理学会、電子情報通信学会共催  Ｄ−０２４  森田哲之、他  「３Ｄ空間表現を用いた個人データ管理システムの構築」
【非特許文献２】ＵＲＬマネージャＮＯＲＩ氏  ｈｔｔｐ：／／ｗｗｗ．ｎｏｒｉ−ｓ．ｎｅｔ／ｓｏｆｔ／ｕｍｎ／ｉｎｄｅｘ．ｈｔｍｌ  ｈｔｔｐ：／／ｗｗｗ．ｎｏｒｉ−ｓ．ｎｅｔ／ｓｏｆｔ／ｕｍｎ／ｆｅａｔｕｒｅｓ．ｈｔｍｌ（２００４／２／２７に検索）
【発明の開示】
【発明が解決しようとする課題】
【０００７】
本発明は、ブックマーク管理機能からＷｅｂブラウザにＵＲＬを渡してアクセスした文書を表示させた場合だけでなく、リンクをたどっていくような、通常のＷｅｂブラウザの操作によって、ブックマークされているＵＲＬにアクセスした文書を表示した場合であっても、ブックマーク管理機能で管理しているブックマークに対して、そのブックマークのＵＲＬにＷｅｂブラウザでアクセスしたという情報（たとえば、アクセスした回数やアクセスした最終日時など）を、ブックマーク管理機能で管理し、それらの情報を用いて、ブックマークヘのアクセス状況をわかりやすく表示することを目的とする。
【課題を解決するための手段】
【０００８】
本発明では、ブックマークのＵＲＬ及び当該ＵＲＬのアクセス情報（参照回数、最終参照日時など）を記憶し、ＷｅｂブラウザがＷＷＷのＵＲＬをアクセスした際に、ブックマークのＵＲＬを検索し、前記アクセスしたＵＲＬと同一のＵＲＬが記憶されていれば、当該ＵＲＬのアクセス情報を更新する。例えば、ＷｅｂブラウザがＷＷＷのＵＲＬをアクセスした際、そのＵＲＬ及びそのアクセスした日時などを取得する。そして、ブックマークのＵＲＬを検索して、取得したＵＲＬと同一のＵＲＬが記憶されている場合、当該ＵＲＬの参照回数を＋１し、最終日時を取得したアクセス日時で置換する。
【０００９】
一方、ブックマークを表示する際には、そのＵＲＬのアクセス情報（参照回数、最終参照日時など）を一緒に表示する。また、このブックマークを表示する場合、ＵＲＬのアクセス情報の値によってブックマークを選別して、それぞれ異なる表示態様で表示する。例えば、色や形を変えて表示する。さらには、ＵＲＬのアクセス情報の値によって、特定のブックマークだけを表示したり、あるいは表示しなかったりする。
【発明の効果】
【００１０】
本発明によれば、ＷｅｂブラウザでアクセスしたＵＲＬを、ブックマーク管理機能において、確実に管理でき、ブックマークのＵＲＬへのアクセスに関する情報を表示できるようになる。これにより、ブックマークの利用者は、よくアクセスするブックマークや、アクセスする頻度が低いブックマークや、まったくアクセスしないブックマーク、といった情報をブックマークの表示を見てつかむことができるようになる。
【００１１】
さらに、ブックマーク管理機能で管理しているブックマークを使ってＷｅｂブラウザでＵＲＬにアクセスする際には、事前に各ブックマークヘのアクセス状況を確認することができるので、有用なブックマークを選んでアクセスすることが可能になる。また、これらの情報を、ブックマークの利用者はブックマークを整理する際に役に立てることもできる。
【発明を実施するための最良の形態】
【００１２】
図１に本発明の好適な実施形態として、本発明のブックマーク管理機能を備えたコンピュータ端末の構成例を示す。図１において、１０はＣＰＵ等の処理制御装置、２０は表示装置（ディスプレイ）、３０はキーボード及びマウス等の入力及び入力指示装置、４０はハードディスク、その他の記憶装置であり、処理制御装置１０は更にインターネット５０に接続されている。ここで、処理制御装置１０は文書表示制御部１０１、情報抽出部１０２、ブックマーク情報管理部１０３、ブックマーク情報表示制御部１０４を有し、また、記憶装置４０はブックマーク情報記憶部１０５を有し、これら各部１０１〜１０５で本発明のブックマーク管理機能を構成している。
【００１３】
ブックマーク情報記憶部１０５は、ブックマーク情報として、ブックマークのＵＲＬおよびＵＲＬに付随する情報を記憶している。ＵＲＬに付随する情報は、そのブックマークの名前（ブックマーク名）、そのブックマークのＵＲＬで示される情報を参照した回数を表す参照回数、そのブックマークのＵＲＬで示される情報を最後に参照した日時などからなる。ここでは、参照回数と最終参照日時情報を一緒にして、当該ブックマークのＵＲＬのアクセス情報と称すことにする。
【００１４】
次に、図２のフローチャートをもとに、本発明のブックマーク管理機能の動作を説明する。図２の（ａ）はＵＲＬアクセス時の処理フローを示し、図２は（ｂ）はブックマーク表示時の処理フローを示している。
【００１５】
文書表示制御部１０１は、入力及び入力指示装置３０等によるユーザの操作に応じてインターネット５０上のＵＲＬにアクセスし（ステップ２０１）、該ＵＲＬで指し示される文書を表示装置２０に表示する（ステップ２０２）。該文書表示制御部１０１は、ＵＲＬにアクセス開始するときやアクセス完了したときなどに、アクセス先のＵＲＬとともに、イベントを情報抽出部１０２に送る。この文書表示制御部１０１は所謂Ｗｅｂブラウザに相当する。
【００１６】
情報抽出部１０２は、文書表示制御部１０１でのＵＲＬへのアクセス開始やアクセス完了のイベントを受け取ると、該ＵＲＬと共に、アクセス開始やアクセス完了の日時（アクセス参照日時）を取得する（ステップ２０３）。なお、これらの情報の取得には、たとえば、ＤｏｃｕｍｅｎｔＯｂｊｅｃｔＭｏｄｅｌ（ＤＯＭ）などを用いることができる。情報抽出部１０２は、取得した情報（ＵＲＬ、アクセス参照日時など）をブックマーク情報管理部１０３に送る。
【００１７】
ブックマーク情報管理部１０３では、情報抽出部１０２から送られたＵＲＬを用いて、ブックマーク情報記憶部１０５に記憶されているブックマーク情報のうちで、該アクセスしたＵＲＬと同じＵＲＬを持つブックマーク情報があるか検索し（ステップ２０４）、あれば、情報抽出部１０２から送られた参照日時情報をもとに、そのＵＲＬに付随する情報を更新する（ステップ２０５）。たとえば、該当ＵＲＬに付随する情報の参照回数を１増やしたり、それまでの最終参照日時を送られた参照日時に置換したりする。さらには、参照日時を新しく追加しても良い。何の情報をどのように更新するかは、本ブックマーク管理機能の目的によって決定すればよい。
【００１８】
一方、ブックマーク情報表示制御部１０４では、入力及び入力指示装置３０などによるブックマーク表示操作等に応じて、ブックマーク情報記憶部１０５で記憶されているＵＲＬおよびＵＲＬに付随する情報を元にして、ブックマークとそれに対応するＵＲＬやアクセス情報（参照回数、最終参照日時）などを表示する（ステップ２１１、２１２）。この表示例を図３に示す。ユーザは、ＵＲＬとともにそれに付随する情報（参照回数や最終参照日時など）を見ることにより、そのブックマークの有効性を判断する手がかりとすることができる。
【００１９】
本ブックマーク管理機能では、文書表示制御部（Ｗｅｂブラウザ）１０１がＷＷＷのＵＲＬをアクセス開始あるいは完了するときに、自発的にイベントを発生し、それを契機に上記ステップ２０１〜２０５の動作を実施するため、文書表示制御部１０１であるＷｅｂブラウザがアクセスするＵＲＬすべてについて、ブックマークの該当ＵＲＬに、Ｗｅｂブラウザでアクセスしたという情報（アクセス回数やアクセス最終日時など）を管理することが可能となる。
【００２０】
上記のように、ブックマーク情報表示制御部１０４では、ブックマーク情報記憶部１０５で記憶されているＵＲＬおよびＵＲＬに付随する情報を元にして、ブックマークを表示する。このブックマークを表示する際に、ブックマーク情報表示制御部１０４は、そのブックマークのＵＲＬに対応するアクセス情報の値により、ブックマークにフィルタをかけ、該当するブックマークの表示の色や形や文字列を変化させて表示することも可能である。たとえば、アクセス情報に、ある一定の閾値を設けてそれ以下かどうかを判定して、それに該当するブックマークの色や形を、該当しないブックマークとは異なる表示方法をとることができる。また、該当するブックマークは表示しないという方法をとることもできる。さらに、閾値と変化の形は複数のセットを設けて、値の範囲によって異なる表示方法をとることもできる。
【００２１】
これにより、たとえば、１回しか参照されていないブックマークは表示せず、参照回数の少ないブックマークや、参照回数の多いブックマーク、参照時間の長いブックマーク、などは、他の普通のブックマークとは異なる色や形でわかりやすく表示することができる。図４は、この表示例を示したものである。
【００２２】
なお、図１で示した装置における一部もしくは全部の処理機能をコンピュータのプログラムで構成し、そのプログラムをコンピュータを用いて実行して本発明を実現することができること、あるいは、図２で示した処理手順をコンピュータのプログラムで構成し、そのプログラムをコンピュータに実行させることができることは言うまでもない。コンピュータでその処理機能を実現するためのプログラム、あるいは、コンピュータにその処理手順を実行させるためのプログラムを、そのコンピュータが読み取り可能な記録媒体、例えば、ＦＤ、ＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【図面の簡単な説明】
【００２３】
【図１】本発明の一実施形態の構成図である。
【図２】本発明の一実施形態の処理フローチャートである。
【図３】本発明によるブックマーク情報表示例（その一）である。
【図４】本発明によるブックマーク情報表示例（その二）である。
【符号の説明】
【００２４】
１０１  文書表示制御部
１０２  情報抽出部
１０３  ブックマーク情報管理部
１０４  ブックマーク情報表示制御部
１０５  ブックマーク情報記憶部
【図１】
2005339356.tif 000003
【図２】
2005339356.tif 000004
【図３】
2005339356.tif 000005
【図４】
2005339356.tif 000006